(57)【要約】      （修正有）【課題】頭髪を揺らさず、頭髪の表層部、その下層部分である毛髪の根元部分、及び頭皮を素早く効果的に乾燥させることができるヘアードライヤーを提供する。【解決手段】本体ケース１の内部に、ヒーター２と、送風ファン３と、送風ファンを駆動するモーター４とを配設し、本体ケースの送風吹出口５には、夫々多数の噴気孔１２を穿設した複数本の指状噴気管８，９，１０を分岐突設してなる。【選択図】図１
0003193804.tif 000002
【実用新案登録請求の範囲】
【請求項１】
本体ケースの内部に、ヒーターと、送風ファンと、この送風ファンを駆動するモーターとを配設し、前記本体ケースの送風吹出口には、夫々多数の噴気孔を穿設した複数本の指状噴気管を分岐突設してなるヘアードライヤー。
【請求項２】
前記指状噴気菅の噴気孔から吹き出す温風は、約４５℃〜約６０℃の範囲に設定されてなるヘアードライヤー。
【請求項３】
前記本体ケースは、ドライヤーのグリップを兼ねるように形成されている請求項１又は２に記載のヘアードライヤー。
【請求項４】
前記指状噴気管は、硬質合成樹脂又はセラミックなどの硬質部材からなる請求項１〜３の何れかに記載のヘアードライヤー。
【考案の詳細な説明】
【技術分野】
【０００１】
本考案は、ヘアードライヤーに関する。
【背景技術】
【０００２】
ヘアードライヤーは、濡れた頭髪（ここで頭髪とは、頭の髪の毛の全体を言うものとする）を乾燥させるのに使用され、また頭髪を一定のスタイルに整え固定するためのセットアップにも使用される。
【０００３】
ヘアードライヤーで頭髪を乾燥させる際、頭髪の表層部は、ヘアードライヤーの温風が当たり易いので乾燥は早いが、頭髪の下層部分や頭皮は、温風が当たり難く、乾燥し難いため、表層部は乾燥しているが、下層部分や頭皮は濡れていることがある。頭皮が濡れていると、様々な皮膚病やフケの発生の原因となり、頭皮のみならず、頭髪にも影響して、毛髪（ここで毛髪とは、頭髪の１本１本の髪の毛を言うものとする）が抜け易く、細くなる。また、頭髪を濡れたまま放置すると、毛髪のキューティクル（鱗状の毛表皮）が開いた状態となるために、毛髪を傷めるおそれがある。
【０００４】
また、頭髪を早く乾燥させようとして温風の温度を上げて高温になりすぎると、毛髪や頭皮に損傷を与えたり、毛髪を変色させたり、抜け毛を誘発したりする問題が生ずる。
【０００５】
一方、現在使用されているヘアードライヤーの吹出口には、この吹出口を絞った円形状や矩形状の口管が取り付けられているが、このような口管から吹き出される温風は、広範囲に広がるため、その温風によって毛髪が動き（散らばり）、毛先が過剰に揺れて乾き、更にはドライヤーの熱で毛先の水分が無くなり過ぎて、痛みの原因になる。
【０００６】
また、現在美容院で行われている好ましいヘアードライヤーの使用方法は、(1) タオルで頭皮及び毛髪の水分をしっかり取る、(2) ヘアードライヤーで頭皮及び毛髪の根元の方から乾かし始める、(3) 頭髪全体を均一に乾かす、などの「毛髪を乾かす」作業に重きを置いているが、髪を綺麗に保ちたいという女性の願望である、毛先が程よく湿潤し、毛髪を傷めない「綺麗な毛髪」を育てることにも十分に考慮する必要がある。しかしながら、現在使用されているヘアードライヤーでは、そのような「綺麗な毛髪」を育てることができない。
【０００７】
そこで、女性の願望である「綺麗な毛髪」を育てる環境作りが必要となり、そのためには頭髪の表層部と共にその下層部分である毛髪の根元部分及び頭皮を効果的に乾燥し得るヘアードライヤーの出現が望まれるところである。
【考案の概要】
【考案が解決しようとする課題】
【０００８】
本考案は、上記のような事情に鑑み、頭髪を揺らさず、頭髪の表層部、その下層部分である毛髪の根元部分、及び頭皮を素早く効果的に乾燥させることができると共に、毛先が程よく湿潤し、毛髪が傷まない「綺麗な毛髪」に保つことのできるヘアードライヤーを提供することを目的とする。
【課題を解決するための手段】
【０００９】
上記課題を解決するための手段を、後述する実施形態の参照番号を付して説明すると、請求項１に係るヘアードライヤーは、本体ケース１の内部に、ヒーター２と、送風ファン３と、この送風ファン３を駆動するモーター４とを配設し、前記本体ケース１の送風吹出口送風吹出口５には、夫々多数の噴気孔１２・・・を穿設した複数本の指状噴気管８，９，１０を分岐突設してなることを特徴とする。
【００１０】
請求項２は、請求項１に記載のヘアードライヤーにおいて、前記指状噴気菅８，９,１０の噴気孔１２・・・から吹き出す温風は、約４５℃〜約６０℃の範囲に設定されてなることを特徴とする。
【００１１】
請求項３は、請求項１又は２に記載のヘアードライヤーにおいて、前記本体ケース１は、ドライヤーのグリップを兼ねるように形成されていることを特徴とする。
【００１２】
請求項４は、請求項１〜３の何れかに記載のヘアードライヤーにおいて、前記指状噴気管８，９，１０は、硬質合成樹脂又はセラミックなどの硬質部材からなることを特徴とする。
【考案の効果】
【００１３】
上記解決手段による考案の効果を、後述する実施形態の参照番号を付して説明すると、請求項１に係る考案のヘアードライヤーは、本体ケース１の内部に、ヒーター２と、送風ファン３と、送風ファン３を駆動するモーター４とを配設し、本体ケース１の送風吹出口送風吹出口５には、夫々多数の噴気孔１２・・・を穿設した複数本の指状噴気管８，９，１０を分岐突設してなるもので、夫々の噴気孔１２・・・から温風が噴出している複数本の指状噴気管８，９，１０を頭髪Ｋ内に突入させて、指状噴気管８，９，１０の夫々先端部を頭皮Ｔに軽く接触させ又は近接させた状態で頭髪Ｋ内を前後及び左右に適宜移動させることによって、頭皮Ｔ及び毛髪の根元部分を素早く十分に乾燥させることができると共に、頭髪Ｋの上層部を乾き過ぎない程度に乾燥させることができ、特に毛先の過剰な揺れを防止して、毛先が程良く湿潤した状態に乾燥させることができる。
【００１４】
上記のように頭皮Ｔ及び毛髪の根元部分を素早く十分に乾燥させることができるから、皮膚障害や抜け毛を引き起こすおそれがなく、また毛髪のキューティクルが閉じたままとなって、毛髪を傷めることがない。また、毛先が程良く湿潤した状態に乾燥できるから、女性が願望する毛髪を傷めない「綺麗な毛髪」を育てることができる。
【００１５】
請求項２に係る考案によれば、前記指状噴気菅８，９,１０の噴気孔１２・・・から吹き出す温風は、約４５℃〜約６０℃の範囲に設定されてなるため、頭皮Ｔ及び毛髪の根元部分を痛めることなく効率的に素早く十分に乾燥させることができる。実験の結果、温風温度が約４５℃以下であれば、頭皮Ｔ及び毛髪の根元部分を乾燥させるためにかなりの時間を必要とし、効率的に素早く乾燥させ難い。又、温風温度が約６０℃以上であれば、前記指状噴気菅８，９,１０の噴気孔１２・・・を頭皮Ｔ及び毛髪の根元部分に接触又は近接させると、頭皮Ｔ及び毛髪の根元部分を火傷させるなど損傷させることが判明している。
【００１６】
請求項３に係る考案によれば、本体ケース１は、ドライヤーのグリップを兼ねるように形成されているから、本体ケース１とは別にグリップを設ける必要がなく、それだけ構造の簡素化を図ることができる。
【００１７】
請求項４に係る考案によれば、指状噴気管８，９，１０は、硬質合成樹脂又はセラミックなどの硬質部材からなるため、指状噴気管８，９，１０を頭髪Ｋ内に突入させる時に、これら指状噴気管８，９，１０を頭髪Ｋ内で所望の方向に自在に移動させることができ、各指状噴気管８，９，１０の噴気孔１２・・・からの温風の供給を的確に行わせることができる。指状噴気管８，９，１０が弾性部材又は折れ曲がりやすい部材によって形成すれば、指状噴気管８，９，１０を頭髪Ｋ内に突入させて、頭皮Ｔ及び毛髪の根元部分に接触させる際に、指状噴気管８，９，１０が弾性変形したり、折れ曲がって接触し、指状噴気管８，９，１０を頭髪Ｋ内で所望の方向に自在に移動操作することが出来難い場合があり、又、指状噴気管８，９，１０が頭皮Ｔ及び毛髪の根元部分に、必要以上の接触圧で接触し、結果的に頭皮Ｔ及び毛髪の根元部分を痛める危険性がある。
【図面の簡単な説明】
【００１８】
【図１】(a) は本考案に係るヘアードライヤーの一部断面正面図、(b) は同ヘアードライヤーを(a) に示される状態から手前側へ９０°回転させた状態の平面図である。
【図２】(a) は図１の(b) のX−Ｘ線拡大断面図、(b) は図１の(b) のＹ Ｙ線拡大断面図である。
【図３】同ヘアードライヤーの使用状態を示す斜視図である。
【考案を実施するための形態】
【００１９】
以下に本考案の好適な実施形態について図面を参照しながら説明すると、本考案に係るヘアードライヤーは、図１の(a) ，(b) に示すように、円筒状の本体ケース１の内部に、ヒーター２と、送風ファン３と、この送風ファン３を駆動するモーター４とを配設し、本体ケース１には軸方向の先端部に送風吹出口５を形成し、軸方向の後端部に空気（外気）を取り入れる空気吸入口６を形成しており、そしてこの本体ケース１の送風吹出口５に、基筒部７と、この基筒部７から分岐突設された３本の指状噴気管８，９，１０とからなる噴気管ユニット１１の前記基筒部７を取り付け、各指状噴気管８，９，１０には多数の噴気孔１２・・・をほぼ一定の間隔で穿設している。本体ケース１の空気吸入口６には、メッシュ状のキャップ１３を装着している。
【００２０】
上記ヘアードライヤーの構造について更に詳しく説明すれば、本体ケース１は、耐熱性、耐衝撃性、加工性及び硬度に優れたＡＢＳ樹脂やポリカーボネートなどの硬質合成樹脂、或いはチタン酸バリウムや炭化ケイ素等のアルミナーチタンカーバイト系、又はジルコニア系のセラミックからなる硬質部材によって、先端部の送風吹出口５側が後端部の空気吸入口６側より僅かに径小となる円筒状に形成されたもので、この本体ケース１は、ヘアードライヤーの本体を形成すると同時に、使用時に使用者が把持するグリップを形成している。
【００２１】
本体ケース１内部に設けられたヒーター２は、電熱線（ニクロム線）からなるもので、本体ケース１の表面側所要部に設けられた電源スイッチ１４（図１の(a) 及び図３参照）をＯＮ操作することにより通電されて加熱され、送風ファン３によって送風吹出口５から吹き出される温風の最高温度が６０°Ｃとなるよう、又最低温度が４５℃になるように設定されている。これは実験の結果、温風温度が約４５℃以下であれば、頭皮Ｔ及び毛髪の根元部分を乾燥させるためにかなりの時間を必要とし、効率的に素早く乾燥させ難い。又、温風温度が約６０℃以上であれば、前記指状噴気菅８，９,１０の噴気孔１２・・・を頭皮Ｔ及び毛髪の根元部分に接触又は近接させると、頭皮Ｔ及び毛髪の根元部分を火傷など損傷させることが判明しているからである。図１の(a) ，(b) には、ヒーター２及びモーター４に給電するための電源コードを１５で示す。
【００２２】
噴気管ユニット１１は、図１の(a) ，(b) に示すように、人の手首から指の付け根までの部分にほぼ対応するように形成された基筒部７と、この基筒部７から分岐突設され、人の手指の例えば人指し指、中指及び薬指に対応するように形成された３本の指状噴気管８，９，１０とによって構成されるもので、硬質合成樹脂又はセラミックなどの硬質部材からなる。この場合、噴気管ユニット１１を形成する硬質合成樹脂としては、前記本体ケース１を形成するＡＢＳ樹脂やポリカーボネートなどが好ましく、噴気管ユニット１１は、そのような硬質合成樹脂によって一体成形される。各指状噴気管８，９，１０には多数の噴気孔１２・・・が穿設されているが、この噴気孔１２は基筒部７側にも複数形成されている。
【００２３】
この噴気管ユニット１１を本体ケース１に取り付けるには、図１の(a) に示すように、噴気管ユニット１１の基筒部７の基端部７ａを本体ケース１の送風吹出口５に内嵌合すると共に、基端部７ａの外周面と送風吹出口５の内周面との間に接着剤を介在されることによって、噴気管ユニット１１の基筒部７を本体ケース１の送風吹出口５に固定する。あるいは、基筒部７の基端部７ａの外周面に雄ねじを形成し、送風吹出口５の内周面に雌ねじを形成して、基筒部７の基端部７ａを送風吹出口５にねじ込むことで噴気管ユニット１１の基筒部７を本体ケース１の送風吹出口５に固定するようにしてもよい。
【００２４】
上記のような構成よりなるヘアードライヤーの使用方法について説明すると、先ず、本体ケース１に設けてある電源スイッチ１４をＯＮにすると、ヒーター２が加熱されると共に、モーター４が起動して送風ファン３が作動し、それによって空気吸入口６から吸い込まれた空気がヒーター２を通過し加熱されて温風となり、この温風は、送風吹出口５からら噴気管ユニット１１の基筒部７を通って３本の指状噴気管８，９，１０に供給されて、これら噴気管ユニット指状噴気管８，９，１０の夫々噴気孔１２・・・から噴出される。この時、本体ケース１の送風吹出口５から吹き出される温風の最高温度は約６０°Ｃであって、各指状噴気管８，９，１０の噴気孔１２・・・から吹き出される温風の温度は約４５℃から約６０°Ｃの範囲内である。尚、従来使用されているヘアードライヤーの送風吹出口から吹き出される温風の温度は、１４０°Ｃ程度と高温で、本考案のヘアードライヤーの使用温度の約２倍以上であり、これがために従来から使用されているヘアードライヤーは採用することが出来ない。
【００２５】
上記のように噴気管ユニット１１の３本の指状噴気管８，９，１０の夫々の噴気孔１２・・・から温風が吹き出されているヘアードライヤーの本体ケース１をグリップとして、使用者が図３に示すように片手で把持して、その３本の指状噴気管８，９，１０を同図に示すように頭髪Ｋ（頭の髪の毛の全体）内に突入させて、これら指状噴気管８，９，１０の夫々先端部を頭皮Ｔに軽く接触させ又は近接させた状態で頭髪Ｋの前後及び左右に適宜スライド又は移動させながら、頭髪Ｋの下層部である各毛髪（１本の髪の毛）の根元部分及び頭皮Ｔを乾燥させると共に、頭髪Ｋの表層部を乾燥させる。
【００２６】
このように夫々の噴気孔１２・・・から温風が噴出している３本の指状噴気管８，９，１０を頭髪Ｋ内に突入させて、指状噴気管８，９，１０の夫々先端部を頭皮Ｔに接触させ又は近接させた状態で頭髪Ｋ内を前後及び左右に適宜スライド又は移動させることによって、頭皮Ｔ及び毛髪の根元部分を素早く十分に乾燥させることができると共に、頭髪Ｋの上層部を乾き過ぎない程度に乾燥させることができ、特に毛先の過剰な揺れを防止して、毛先が程良く湿潤した状態に乾燥させることができる。また、指状噴気管８，９，１０の噴気孔１２・・・から噴出される温風の温度は、最高温度６０°Ｃ程度（従来のヘアードライヤーでの使用温度１４０°Ｃの１／２以下）と低いため、毛髪や頭皮を傷めたり、毛髪の変色や抜け毛を誘発することがない。
【００２７】
上記のように頭皮Ｔ及び毛髪の根元部分を素早く十分に乾燥させることができるから、皮膚障害や抜け毛を引き起こすおそれがなく、毛髪のキューティクルが閉じたままとなって、毛髪を傷めることがなくなる。また、毛先が程良く湿潤した状態に乾燥できるから、女性が願望する毛髪を傷めない「綺麗な毛髪」を育てることができる。
【００２８】
また、噴気管ユニット１１は、基筒部７及び３本の指状噴気管８，９，１０の全体が硬質合成樹脂又はセラミックなどの硬質部材からなるため、３本の指状噴気管８，９，１０を頭髪Ｋ内に突入させる時に、これら指状噴気管８，９，１０を頭髪Ｋ内で所望の方向に自在にスライド又は移動させることができて、各指状噴気管８，９，１０の噴気孔１２・・・からの温風の供給を的確に行わせることができる。因みに、指状噴気管８，９，１０が弾性材料や折れ曲がり易い可撓性部材からなるものであれば、頭髪Ｋ内に突入させた時に指状噴気管８，９，１０が撓んだり屈曲変形するため、頭髪Ｋ内でのスライドや移動をスムーズに行えず、頭髪Ｋ内への温風の供給を的確に行わせることができない。或いは必要以上の接触圧で指状噴気管８，９，１０が頭皮Ｔ及び毛髪の根元部分に接触し、結果的に頭皮Ｔ及び毛髪の根元部分を痛める危険性がある。
【００２９】
またこのヘアードライヤーでは、本体ケース１がドライヤーの把持部であるグリップを兼ねるように形成されているから、本体ケース１とは別にグリップを設ける必要がなく、それだけ構造の簡素化を図ることができる。
【００３０】
以上の実施形態では、噴気管ユニット１１に３本の指状噴気管８，９，１０を設けているが、この指状噴気管は、２本設けてもよいし、３本以上設けてよい。
【００３１】
また以上の実施形態では、基筒部７と複数本（３本）の指状噴気管８，９，１０とによって噴気管ユニット１１を形成し、この噴気管ユニット１１の基筒部７を本体ケース１の送風吹出口５に取り付けるようにしているが、このような噴気管ユニット１１ではなく、本体ケース１の送風吹出口５から複数本（３本）の指状噴気管８，９，１０を直接的に分岐突設してもよい。この場合は、本体ケース１と複数本の指状噴気管８，９，１０とを、ＡＢＳ樹脂やポリカーボネートなどの硬質の合成樹脂又はセラミックで一体成形することにより、複数本の指状噴気管８，９，１０を本体ケース１の送風吹出口５から一体に分岐突設することができる。
【００３２】
上記のように本体ケース１と複数本の指状噴気管８，９，１０とを一体成形したヘアードライヤーでは、指状噴気管８，９，１０側が破損して取り替えを要する場合には、本体ケース１側も一緒に取り替えなければならないが、本実施形態のように、基筒部７と複数本の指状噴気管８，９，１０とによって噴気管ユニット１１を形成したヘアードライヤーで、指状噴気管８，９，１０側が破損した場合には、噴気管ユニット１１のみ新しいものと取り替えればよいから、コスト的には有利となる。
【符号の説明】
【００３３】
１              本体ケース
２              ヒーター
３              送風ファン
４              モーター
５              送風吹出口
６              空気吸入口
７              噴気管ユニットの基筒部
８，９，１０    噴気管ユニットの指状噴気管
１１            噴気管ユニット
１２            噴気孔
１３            空気吸入口のキャップ
１４            電源スイッチ
Ｋ              頭髪
Ｔ              頭皮
【図１】
0003193804.tif 000003
【図２】
0003193804.tif 000004
【図３】
0003193804.tif 000005
【手続補正書】
【提出日】平成26年8月27日(2014.8.27)
【手続補正１】
【補正対象書類名】実用新案登録請求の範囲
【補正対象項目名】全文
【補正方法】変更
【補正の内容】
【実用新案登録請求の範囲】
【請求項１】
本体ケースの内部に、ヒーターと、送風ファンと、この送風ファンを駆動するモーターとを配設し、前記本体ケースの送風吹出口には、夫々多数の噴気孔を穿設した複数本の指状噴気管を分岐突設してなるヘアードライヤー。
【請求項２】
前記指状噴気管の噴気孔から吹き出す温風は、約４５℃〜約６０℃の範囲に設定されてなる請求項１に記載のヘアードライヤー。
【請求項３】
前記本体ケースは、ドライヤーのグリップを兼ねるように形成されている請求項１又は２に記載のヘアードライヤー。
【請求項４】
前記指状噴気管は、硬質合成樹脂又はセラミックなどの硬質部材からなる請求項１〜３の何れかに記載のヘアードライヤー。
【手続補正２】
【補正対象書類名】明細書
【補正対象項目名】００１０
【補正方法】変更
【補正の内容】
【００１０】
請求項２は、請求項１に記載のヘアードライヤーにおいて、前記指状噴気管８，９,１０の噴気孔１２・・・から吹き出す温風は、約４５℃〜約６０℃の範囲に設定されてなることを特徴とする。
【手続補正３】
【補正対象書類名】明細書
【補正対象項目名】００１５
【補正方法】変更
【補正の内容】
【００１５】
請求項２に係る考案によれば、前記指状噴気管８，９,１０の噴気孔１２・・・から吹き出す温風は、約４５℃〜約６０℃の範囲に設定されてなるため、頭皮Ｔ及び毛髪の根元 部分を痛めることなく効率的に素早く十分に乾燥させることができる。実験の結果、温風 温度が約４５℃以下であれば、頭皮Ｔ及び毛髪の根元部分を乾燥させるためにかなりの時間を必要とし、効率的に素早く乾燥させ難い。又、温風温度が約６０℃以上であれば、前記指状噴気管８，９,１０の噴気孔１２・・・を頭皮Ｔ及び毛髪の根元部分に接触又は近接させると、頭皮Ｔ及び毛髪の根元部分を火傷させるなど損傷させることが判明している。
【手続補正４】
【補正対象書類名】明細書
【補正対象項目名】００２１
【補正方法】変更
【補正の内容】
【００２１】
本体ケース１内部に設けられたヒーター２は、電熱線（ニクロム線）からなるもので、本体ケース１の表面側所要部に設けられた電源スイッチ１４（図１の(a) 及び図３参照）をＯＮ操作することにより通電されて加熱され、送風ファン３によって送風吹出口５から吹き出される温風の最高温度が６０°Ｃとなるよう、又最低温度が４５℃になるように設定されている。これは実験の結果、温風温度が約４５℃以下であれば、頭皮Ｔ及び毛髪の根元部分を乾燥させるためにかなりの時間を必要とし、効率的に素早く乾燥させ難い。又、温風温度が約６０℃以上であれば、前記指状噴気管８，９,１０の噴気孔１２・・・を頭皮Ｔ及び毛髪の根元部分に接触又は近接させると、頭皮Ｔ及び毛髪の根元部分を火傷など損傷させることが判明しているからである。図１の(a) ，(b) には、ヒーター２及びモーター４に給電するための電源コードを１５で示す。